(57)【要約】【課題】周辺機器のレイアウトを容易に変更することが可能な販売データ処理装置を提供する。【解決手段】販売データ処理を実行する制御ユニットと、前記制御ユニットと着脱可能に接続され、略箱状に形成された筐体を有し、当該筐体の内部に前記制御ユニットの周辺機器として機能する機能部を具備する１又は複数のモジュール部と、を備え、前記モジュール部は、当該モジュール部同士を重ねて又は並べて配置できるように構成されている。【選択図】図１
2018136935.tif 000002
【特許請求の範囲】
【請求項１】
販売データ処理を実行する制御ユニットと、
前記制御ユニットと着脱可能に接続され、略箱状に形成された筐体を有し、当該筐体の内部に前記制御ユニットの周辺機器として機能する機能部を具備する１又は複数のモジュール部と、
を備え、
前記モジュール部は、当該モジュール部同士を重ねて又は並べて配置できるように構成されている販売データ処理装置。
【請求項２】
前記モジュール部は、高さ方向のサイズが予め定められた基準長の整数倍で形成された前記筐体を有する請求項１に記載の販売データ処理装置。
【請求項３】
前記基準長は、高さ方向のサイズが最小となる前記モジュール部の当該サイズに基づいて設定される請求項２に記載の販売データ処理装置。
【請求項４】
前記モジュール部は、幅方向のサイズが他のモジュール部と同一のサイズで形成された前記筐体を有する請求項１〜３の何れか一項に記載の販売データ処理装置。
【請求項５】
前記制御ユニットは、前記モジュール部の一つに内蔵される請求項１〜４の何れか一項に記載の販売データ処理装置。
【発明の詳細な説明】
【技術分野】
【０００１】
本発明の実施形態は、販売データ処理装置に関する。
【背景技術】
【０００２】
従来、量販店等の店舗では、ＰＯＳ（Point  Of  Sales）端末等の販売データ処理装置が設置されている。店員は、この販売データ処理装置を用いることで商品の登録処理や精算処理等の販売データ処理を行っている。また、近年では、客自身が販売データ処理装置を用いて商品の登録処理や精算処理を行うセルフ又はセミセルフと呼ばれる方式も存在している。
【０００３】
ところで、販売データ処理装置には、レシート等を印字するプリンタやカード媒体から情報を読み取るカードリーダ等の周辺機器が設けられている。しかしながら、従来の販売データ処理装置では、これらの周辺機器は販売データ処理装置本体と一体的に設けられることが一般的であるため、特定の周辺機器を取り除いたり追加したりすることは容易ではなかった。また、従来の販売データ処理装置では、周辺機器は販売データ処理装置本体に固定されていることが一般的であるため、レイアウトを変更することは困難であり、利便性に欠けるものとなっていた。
【発明の概要】
【発明が解決しようとする課題】
【０００４】
本発明の実施形態が解決しようとする課題は、周辺機器のレイアウトを容易に変更することが可能な販売データ処理装置を提供することである。
【課題を解決するための手段】
【０００５】
実施形態の販売データ処理装置は、販売データ処理を実行する制御ユニットと、前記制御ユニットと着脱可能に接続され、略箱状に形成された筐体を有し、当該筐体の内部に前記制御ユニットの周辺機器として機能する機能部を具備するとともに、当該筐体の正面壁に前記機能部に応じた構成を具備する１又は複数のモジュール部と、を備え、前記モジュール部は、幅方向のサイズが他のモジュール部と同一のサイズで形成された前記筐体を有し、当該モジュール部同士を重ねて又は並べて配置できるように構成されている。
【図面の簡単な説明】
【０００６】
【図１】図１は、実施形態に係る販売データ処理装置の一例を示す外観斜視図である。
【図２】図２は、実施形態に係る販売データ処理装置の他の例を示す外観斜視図である。
【図３】図３は、実施形態に係る販売データ処理装置の他の例を示す外観斜視図である。
【図４】図４は、実施形態に係る販売データ処理装置のハードウェア構成の一例を示すブロック図である。
【図５】図５は、実施形態に係る販売データ処理装置の他の例を示す外観斜視図である。
【図６】図６は、実施形態に係る販売データ処理装置の他の例を示す外観斜視図である。
【図７】図７は、実施形態に係る販売データ処理装置の他の例を示す外観斜視図である。
【発明を実施するための形態】
【０００７】
以下、実施形態に係る販売データ処理装置について、図面を参照して説明する。
【０００８】
図１は、本実施形態に係る販売データ処理装置１０の一例を示す外観斜視図である。図１に示すように、販売データ処理装置１０は、表示ユニット１１と、複数のモジュール部１２を備える。
【０００９】
表示ユニット１１は、ＬＣＤ（Liquid  Crystal  Display）等の表示部１１１、タッチパッド１１２等を備える。表示部１１１の表示画面は、表示ユニット１１の正面側に露出した状態で設けられ、販売データ処理に係る各種の情報を表示する。タッチパッド１１２は、表示部１１１の表示画面上に設けられ、当該表示画面に対する指の操作位置を検出する。表示部１１１及びタッチパッド１１２は、例えば静電容量式のタッチパネルで構成される。また、表示ユニット１１は、販売データ処理装置１０の動作を統括的に制御する制御ユニット１１３（図４参照）を備える。
【００１０】
また、表示ユニット１１の背面側には、表示ユニット１１を支持するためのスタンド（図示せず）が設けられている。表示ユニット１１は、スタンドを介してモジュール部１２に取り付けられる。係るスタンドは、表示ユニット１１の配置角度を調整することが可能なチルト機構やスイベル機構、ピボット機構等を備えることが好ましい。
【００１１】
モジュール部１２は、略箱状に形成された筐体Ｃを有する。筐体Ｃは、その内部に制御ユニット１１３の周辺機器として機能する機能部を具備する。また、筐体Ｃは、正面方向の壁面（正面壁）に機能部に応じた構成を具備する。
【００１２】
例えば、モジュール部１２ａは、商品に付されたコードシンボル（例えばバーコード）を読み取るスキャナ装置である。モジュール部１２ａは、筐体Ｃの正面壁にスキャナ装置に応じた構造（入力インタフェース）として窓１２１ａを有する。また、モジュール部１２ａは、筐体Ｃの内部に、商品に付されたバーコード等のコードシンボルを読み取る読取ユニットや、窓１２１ａの外側に照明光を照射する照明ユニット等のスキャナ機能部１２２ａ（図４参照）を備える。読取ユニットは、窓１２１ａの外側にかざされた商品のコードシンボルから、当該商品を識別するための商品コードを読み取り、制御ユニット１１３に出力する。
【００１３】
なお、読取ユニットは、コードシンボルの読み取りに限らず、一般物体認識技術を用いることで商品の種別等を特定する構成としてもよい。この場合、読取ユニットは、ＣＣＤセンサやＣＭＯＳセンサ等の撮像素子を備え、窓１２１ａの外側にかざされた商品を撮像した画像データの中から当該商品の特徴を示す特徴量を抽出し、その特徴量に基づいて商品の種別等を認識する。
【００１４】
また、例えば、モジュール部１２ｂは、レシート等を印字するプリンタ装置である。モジュール部１２ｂは、筐体Ｃの正面壁に、プリンタ装置に応じた構造（出力インタフェース）として排紙口１２１ｂを有する。また、モジュール部１２ｂは、筐体Ｃの内部に、サーマルプリンタ等のプリンタエンジンやプリンタエンジンを制御するコントローラ、用紙を収納する収納部等のプリンタ機能部１２２ｂ（図４参照）を備える。コントローラは、制御ユニット１１３の制御に基づきプリンタエンジンを動作させることで、取引の内訳等を印字した用紙（レシート）を、排紙口１２１ｂから出力させる。なお、用紙の供給は、筐体Ｃの背面側や側面側等から行うことが可能であるとする。
【００１５】
また、例えば、モジュール部１２ｃは、カード媒体に対し情報の読み取りや書き込みを行うカードリーダライタである。モジュール部１２ｃは、筐体Ｃの正面壁に、カードリーダライタに応じた構造（入出力インタフェース）として挿入口１２１ｃを有する。また、モジュール部１２ｃは、筐体Ｃの内部に、カード媒体に対しデータの読み取りや書き込みを行うリーダライタユニット等のリーダライタ機能部１２２ｃ（図４参照）を備える。リーダライタユニットは、制御ユニット１１３の制御に基づき、挿入口１２１ｃに挿入された磁気カードやＩＣカード等のカード媒体に対し、データの読み取りや書き込みを行う。
【００１６】
ところで、モジュール部１２の筐体Ｃは、高さ方向（図中Ｚ方向）、幅方向（図中Ｘ方向）及び奥行き方向（図中Ｙ方向）のサイズが、所定の規格で形成されている。
【００１７】
具体的には、各モジュール部１２の筐体Ｃは、幅方向のサイズが略同一となっている。このように、幅方向のサイズを、全てのモジュール部１２で共通化することで、モジュール部１２を高さ方向に重ねた場合（図２参照）や幅方向に並べた場合に、幅方向の長さを容易に揃えることができるため、全体の整合性やフィット感を向上させることができる。
【００１８】
また、各モジュール部１２の筐体Ｃは、奥行き方向のサイズが略同一となっている。このように、奥行き方向のサイズを、全てのモジュール部１２で共通化することで、モジュール部１２を高さ方向に重ねた場合（図２参照）や幅方向に並べた場合に、奥行き方向の長さを容易に揃えることができるため、全体の整合性やフィット感を向上させることができる。
【００１９】
さらに、各モジュール部１２の筐体Ｃは、高さ方向のサイズが、予め定められた基準長の整数倍となるよう形成されている。図１では、モジュール部１２ｃの高さ方向のサイズが基準長の１倍つまり基準長で形成された例を示している。また、モジュール部１２ａの高さ方向のサイズが基準長の２倍で形成され、モジュール部１２ｃの高さ方向の長さが基準長の３倍で形成された例を示している。このように、高さ方向のサイズを基準長の整数倍で形成することで、モジュール部１２を複数列で重ねて設置した際に、上面の高さを容易に揃えることができるため（図３参照）、全体の整合性やフィット感を向上させることができる。
【００２０】
なお、基準長は特に問わないものとするが、高さ方向の長さが最小となるモジュール部１２のサイズに基づき基準長を設定することが好ましい。また、高さ方向のサイズ、つまり基準長に対する倍率は任意に選択可能であるとするが、内蔵する機能部の大きさ等に応じて選択することが好ましい。また、筐体Ｃの幅方向及び奥行き方向のサイズについても、基準長に基づいてサイズを決定してもよい。
【００２１】
上記した販売データ処理装置１０において、モジュール部１２の各々は、略箱状に形成されており、また独立したモジュール構成となっているため、モジュール部１２同士を重ねて又は並べて配置することができる。例えば、図１では、モジュール部１２ａ〜モジュール部１２ｃをＬ字型に配置した例を示している。なお、モジュール部１２の配置位置や配置順序は図１の例に限らず、例えば図２、図３に示すように他のレイアウトとしてもよい。
【００２２】
図２、図３は、販売データ処理装置１０のレイアウトの他の例を示す外観斜視図である。図２では、モジュール部１２を一列に重ねて配置した例を示している。また、図３では、上面の高さが同じとなるよう、モジュール部１２を２列に重ねて配置した例を示している。図３のように配置することで、販売データ処理装置１０の上面を広く確保することができるため、表示ユニット１１の載置を容易に行うことができる。なお、モジュール部１２は、奥行き方向にずらしながら重ねて配置してもよい。
【００２３】
図１〜図３では、表示ユニット１１は、モジュール部１２の最上面に設置する構成としたが、表示ユニット１１の設置位置は、これに限らないものとする。例えば、表示ユニット１１は、モジュール部１２が載置される台等の上に設置する構成としてもよい。また、モジュール部１２間や、表示ユニット１１とモジュール部１２との間は、ネジ等の着脱可能な固定部材によって固定してもよいし、固定しなくてもよい。
【００２４】
また、表示ユニット１１のサイズは特に問わないものとするが、長辺方向又は短辺方向のサイズを、モジュール部１２の幅方向のサイズの整数倍の長さとしてもよい。例えば、図３では、表示ユニット１１の長辺方向のサイズを、モジュール部１２の幅方向のサイズの２倍としている。そのため、表示ユニット１１は、２列で配列されたモジュール部１２の幅方向の長さと等しくなる。このように、表示ユニット１１のサイズをモジュール部１２の幅方向のサイズの整数倍とすることで、モジュール部１２上に表示ユニット１１を設置した際の整合性やフィット感を向上させることができる。
【００２５】
次に、図４を参照して、販売データ処理装置１０のハードウェア構成について説明する。図４は、販売データ処理装置１０のハードウェア構成の一例を示すブロック図である。
【００２６】
図４に示すように、表示ユニット１１は、表示部１１１と、タッチパッド１１２と、制御ユニット１１３とを有する。
【００２７】
制御ユニット１１３は、ＣＰＵ（Central  Processing  Unit）、ＲＯＭ（Read  Only  Memory）、ＲＡＭ（Random  Access  Memory）等のコンピュータ構成を備える。また、制御ユニット１１３は、ＯＳ（Operating  System）等のプログラムや各種設定情報を記憶する記憶部を備える。制御ユニット１１３は、表示部１１１やタッチパッド１１２に接続され、表示部１１１に対する表示制御を行ったり、タッチパッド１１２を介した操作入力を受け付けたりする。
【００２８】
また、制御ユニット１１３は、モジュール部１２と着脱可能に接続するための接続インタフェース、外部のネットワークに接続するためのネットワークインタフェース等を備える（何れも図示せず）。制御ユニット１１３は、接続されたモジュール部１２を介して、各種データの入出力を行う。
【００２９】
一方、モジュール部１２は、制御ユニット１１３（表示ユニット１１）と着脱可能に接続するための接続インタフェース（Ｉ／Ｆ）１３と、機能部１４とを有する。ここで、接続インタフェース１３の規格や形状は特に問わず、汎用の接続インタフェース１３を用いてもいてもよい。また、接続インタフェース１３が設けられる位置も、特に問わないものとするが、操作性の観点からモジュール部１２の正面壁以外に設けることが好ましい。
【００３０】
例えば、モジュール部１２は、筐体Ｃの背面部に有線接続用の接続インタフェース１３を備えてもよい。この構成の場合、モジュール部１２の各々は、接続インタフェース１３に接続されたケーブルを介して、制御ユニット１１３（表示ユニット１１）に接続される。
【００３１】
また、例えば、モジュール部１２は、筐体Ｃの側面部、上面部、下面部の各々に、デイジーチェーン方式で接続可能な接続インタフェース１３を備えてもよい。この場合、モジュール部１２の各々は、接続インタフェース１３を介して数珠つなぎで、表示ユニット１１（制御ユニット１１３）に接続される。なお、接続インタフェース１３が設けられる位置は、隣接するモジュール部１２間で、接続インタフェース１３同士が対向する位置とすることが好ましい。また、筐体Ｃの各面に設けられる接続インタフェース１３の個数は１に限らず、複数であってもよい。また、接続インタフェース１３は、ケーブル等を介さずに、接続インタフェース１３同士を直接接続することが可能なコネクタを備えてもよい。
【００３２】
また、モジュール部１２は、筐体Ｃの内部に無線接続可能な接続インタフェース１３を備えてもよい。この場合、モジュール部１２の各々は、接続インタフェース１３を介して、制御ユニット１１３（表示ユニット１１）に無線で接続される。なお、無線通信の規格は特に限らず、ＷｉＦｉやＢｌｕｅｔｏｏｔｈ（登録商標）等の近距離無線通信規格であってもよい。また、モジュール部１２の各々は、図示しないアクセスポイント等を介して、制御ユニット１１３（表示ユニット１１）に無線で接続される構成としてもよい。
【００３３】
機能部１４は、モジュール部１２を販売データ処理装置１０（制御ユニット１１３）の周辺機器として機能させるための機能部である。例えば、スキャナ装置であるモジュール部１２ａは、機能部１４としてスキャナ機能部１２２ａを備える。また、プリンタ装置であるモジュール部１２ｂは、機能部１４としてプリンタ機能部１２２ｂを備える。また、リーダライタであるモジュール部１２ｃは、機能部１４としてリーダライタ機能部１２２ｃを備える。
【００３４】
制御ユニット１１３は、接続された各モジュール部１２と協働することで、商品の販売登録処理や精算処理等の販売データ処理を実行する。例えば、制御ユニット１１３は、モジュール部１２ａ（スキャナ装置）で読み取られた商品コードに基づいて、当該商品コードに対応する商品を特定し、販売対象の商品として販売登録する。また、制御ユニット１１３は、販売登録した１取引分の商品の精算処理を実行し、当該精算処理が完了すると、販売登録された商品の内訳をモジュール部１２ｂ（プリンタ装置）に印字させ、レシートとして出力させる。また、制御ユニット１１３は、商品の支払いがカード媒体を用いたカード決済で行われるような場合、モジュール部１２ｃ（カードリーダライタ）がカード媒体から読み取ったカード情報に基づいて、商品の精算処理（カード決済）を実行する。
【００３５】
以上のように、本実施形態の販売データ処理装置１０は、モジュール部１２を重ねたり並べたりすることで、販売データ処理装置１０の全体形状を形成することができる。これにより、販売データ処理装置１０では、モジュール部１２のレイアウトを容易に変更することできるため、レイアウト変更に係る利便性を向上させることができる。
【００３６】
なお、上記実施形態では、販売データ処理装置１０が備えるモジュール部１２を３つ（１２ａ〜１２ｃ）としたが、モジュール部１２の個数はこれに限らないものとする。例えば、図１〜図３の構成から１又は２のモジュール部１２を取り除いた構成としてもよい。図５は、販売データ処理装置１０の他の例を示す外観斜視図であり、図１〜図３の構成からモジュール部１２ａ、１２ｃを取り除いた例を示している。このように、販売データ処理装置１０では、特定のモジュール部１２を取り除いたり追加したりすることができるため、レイアウト変更に係る利便性を向上させることができる。
【００３７】
以上、本発明の実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、組み合わせ、変更を行うことができる。これらの実施形態やその変形は、発明の範囲や要旨に含まれるとともに、特許請求の範囲に記載された発明とその均等の範囲に含まれる。
【００３８】
例えば、上記実施形態では、表示ユニット１１は、モジュール部１２と異なる形状としたが、これに限らず、モジュール部１２と同様の形状としてもよい。この場合、例えば、モジュール部１２の筐体Ｃの正面側に表示画面を設けることで、他のモジュール部１２と同様に重ねて又は並べて配置することができる。
【００３９】
また、上記実施形態では、制御ユニット１１３は、表示ユニット１１が内蔵する構成としたが、これに限らず、モジュール部１２の何れか一つが内蔵する構成としてもよい。また、制御ユニット１１３を、モジュール部１２の筐体Ｃと同様の筐体に収納してもよい。これにより、制御ユニット１１３を、他のモジュール部１２と同様に重ねて又は並べて配置することができる。
【００４０】
また、上記実施形態では、モジュール部１２の筐体Ｃについて、幅方向及び奥行き方向のサイズを略同一としたが、これに限らず、モジュール部１２の各々で異なるサイズとしてもよい。相違させる度合（長さ）は、特に問わないものとするが、モジュール部１２同士を重ねて又は並べて配置した際に、安定して配置することが可能な値とすることが好ましい。
【００４１】
図６、図７は、販売データ処理装置１０の他の例を示す外観斜視図であり、幅方向のサイズが異なるモジュール部１２ａ、１２ｂを重ねて配置した例を示している。
【００４２】
ここで、モジュール部１２ａの幅方向のサイズは、モジュール部１２ｂの幅方向のサイズよりも長く形成されている。図６の販売データ処理装置１０では、モジュール部１２ｂの上方にモジュール部１２ａを重ねて配置した例を示している。このように、幅方向のサイズがより小さなモジュール部１２を下段に配置することで、モジュール部１２が載置される台上での設置面積（載置面積）をコンパクト化することができるため、当該台上のスペースを広く活用することができる。
【００４３】
また、販売データ処理装置１０は、図７に示すように、モジュール部１２ａ、１２ｂを奥行き方向にずらしながら重ねて配置してもよい。この場合、上段のモジュール部１２ａは、下段のモジュール部１２ｂよりも奥側に位置するよう配置することが好ましい。このような配置構成とすることで、ユーザが販売データ処理装置１０の正面近くに立って操作する際の、モジュール部１２の各々に対する視認性を向上させることができるため、操作性の向上を図ることができる。
【００４４】
なお、図６、図７では、幅方向のサイズがより小さなモジュール部１２を下段に配置する例を示したが、モジュール部１２の配置レイアウトはこれに限らないものとする。例えば、幅方向のサイズがより大きなモジュール部１２を下段に配置してもよい。幅方向のサイズがより大きなモジュール部１２を下段に配置することで、モジュール部１２を重ねて配置した際の安定性を向上させることができる。
【符号の説明】
【００４５】
１０  販売データ処理装置
１１  表示ユニット
１１１  表示部
１１２  タッチパッド
１１３  制御ユニット
１２、１２ａ、１２ｂ、１２ｃ  モジュール部
１２１ａ  窓
１２１ｂ  排紙口
１２１ｃ  挿入口
１２２ａ  スキャナ機能部
１２２ｂ  プリンタ機能部
１２２ｃ  リーダライタ機能部
１３  接続インタフェース
１４  機能部
Ｃ  筐体
【先行技術文献】
【特許文献】
【００４６】
【特許文献１】特開２０１６−１６２２０８号公報
【図１】
2018136935.tif 000003
【図２】
2018136935.tif 000004
【図３】
2018136935.tif 000005
【図４】
2018136935.tif 000006
【図５】
2018136935.tif 000007
【図６】
2018136935.tif 000008
【図７】
2018136935.tif 000009